(57)【特許請求の範囲】
【請求項１】
ＲＣ造の建物の各階ごとに梁の天端面で柱脚コンクリート打ち継ぎを行なう方法において、
柱型枠と配筋の組立完了後、上階のコンクリート打ち継ぎ面となる柱脚の柱主筋を囲うフープ筋の内部で梁主筋の上部に、フープにより囲まれた柱主筋の中に間隙を置いて収まるような輪郭をなして周方向に延びる帯状板により形成された柱脚打継ぎ部用打込み型枠を設置し、
梁主筋、柱主筋、フープからなる躯体にコンクリートを打設中に、柱の柱脚打ち継ぎ面より上部に一体となる突起を形成するように柱脚打継ぎ部用打込み型枠内にコンクリートを充填し、上階のコンクリートを打ち継ぐ場合は、コンクリートが柱脚の打ち継ぎ面より若干高い位置でコンクリートの投入を中止し、柱脚打継ぎ部用打込み型枠の帯状板から周囲に突出している振動伝達ボルトの頭部をハンマーで叩き、打継ぎ部用打込み型枠に振動を与えて柱脚表面付近の粗骨材にモルタルを行きわたらせるようにしたことを特徴とする方法。
【請求項２】
請求項１に記載の柱脚打継ぎ部用打込み型枠は、フープにより囲まれた柱主筋の中に間隙を置いて収まるような輪郭をなして周方向に延びる帯状板により形成され、前記帯状板の外側出隅部分に振動伝達用ボルトが螺着されていることを特徴とする柱脚打継ぎ部用打込み型枠。
【発明の詳細な説明】
【０００１】
【発明の属する技術分野】
本発明は、鉄筋コンクリート造（以下ＲＣという）の柱頭（図１）１′に生じるコンクリートの沈降による窪みＳを防止することができる方法であって、ＲＣ造の建物の各階ごとに梁の天端面で柱脚コンクリート打ち継ぎを行なう方法およびこの方法に用いられる柱脚打継ぎ用打込み型枠に関する。
【０００２】
【従来の技術】
本発明は、ＲＣ造の建物は、各階毎に梁の天端面で柱脚コンクリートを打ち継いで一体構造を形成しているが、柱脚コンクリートの水平打継ぎ部には、骨材分離に伴う豆板や、柱頭コンクリート１′の沈降による窪みＳにレイタンス（セメント粉末中比重の軽いもので硬化しない白い泥状の物質）が多量に発生する。また、型枠工事に伴う鋸屑等のゴミが介在して不連続な部分が生じやすいため、上部からの重量と地震時の大きな剪断力や曲げモーメントによる圧縮力が加わり、軸力や剪断力の伝達はもちろんのこと、耐久性にも疑問があり、躯体のうちで一番不安を感じる部分である。
【０００３】
従来は１階分のコンクリートを２層（図１）ｈ2 に分けて打設しているが、柱は周囲の梁や床と比較した場合打ち込み高さが大きいため、コンクリートを打設後に発生するブリージング水（フレッシュコンクリートにおいて、コンクリート内部の水が上方に移動する現象）や、コンクリート中の気泡が脱気されるため、コンクリートが沈降して図１に示すように天端に窪みＳが生じやすい（（社）日本建築構造技術者協会編「ＲＣ建築物躯体の工事監理チェックリスト」８頁  写真１．１８−２参照）。柱頭コンクリートの沈降では、コンクリートを均した後で周囲の梁より約３０ｍｍ沈降し、上階の柱脚１″となる部分に窪みが生じた様子が掲載されている。この打継ぎ面の一般的な処理としてレイタンスは除去しても、型枠と配筋工事が終了してコンクリート打設前には、型枠の急激な吸水防止のため型枠と配筋を水洗いする。その結果、型枠内に分散していた鋸屑や他のゴミが柱脚に集合し、洗浄水は型枠の継手やコンクリートとの接触面より若干流出するが、残った洗浄水とゴミは打継ぎ面の窪みに溜まることになる。この現象を無視して上部よりコンクリートを投入すれば、柱脚に鋸屑等の不純物をサンドイッチ状に挟み、一体性が損なわれる。この欠陥が同じ書籍の１２１頁  写真５．２−１に、柱脚表面に現れた波紋と、水を含んだ鋸屑を打継ぎ面に挟んだ柱脚の様子が掲載されている。
【０００４】
欠陥を内在している柱脚が大地震に遭遇すれば、剪断力は上部からの軸力による摩擦力が期待できないため、柱の主筋に剪断力が作用する。主筋が本来負担すべき曲げモーメントによる軸方向力の他に剪断力も加わり、合成応力が生じて主筋が降伏したところに交番繰り返し荷重が加わるため、柱脚のコンクリートが圧壊するものと判断される。
【０００５】
柱のコンクリートは、床の配筋上から梁の型枠を経由して投入されるため、コンクリートが自由落下の際に水平方向に配置されたフープや型枠のセパレータに当たって分離する。そのため、柱脚では粗骨材が多く、モルタル分が少ない豆板が発生しやすい。また、床の配筋上からは棒状のバイブレータは届き難く、型枠バイブレーターは最下部には取り付けがたい。型枠の表面を木槌で叩く以外に方法がなく、床面付近に豆板が発生しやすい。
【０００６】
【発明が解決しようとする課題】
本発明の目的は、ＲＣ造柱脚コンクリートの前述した打継ぎ欠陥を排除し、柱脚に剪断耐力を付加すると共に、柱脚部コンクリートの豆板を防止するための振動締固めが容易に可能な工法と該工法に使用する打継ぎ部用打込み型枠を提供することである。
【０００７】
【課題を解決するための手段】
上記の目的を達成するために、本発明による柱脚コンクリート打継ぎを行なう方法は、柱型枠と配筋の組立完了後、上階のコンクリート打ち継ぎ面となる柱脚の柱主筋を囲うフープ筋の内部で梁主筋の上部に、フープにより囲まれた柱主筋の中に間隙を置いて収まるような輪郭をなして周方向に延びる帯状板により形成された柱脚打継ぎ部用打込み型枠を設置し、梁主筋、柱主筋、フープからなる躯体にコンクリートを打設中に、柱の柱脚打ち継ぎ面より上部に一体となる突起を形成するように柱脚打継ぎ部用打込み型枠内にコンクリートを充填し、上階のコンクリートを打ち継ぐ場合は、コンクリートが柱脚の打ち継ぎ面より若干高い位置でコンクリートの投入を中止し、柱脚打継ぎ部用打込み型枠の帯状板から周囲に突出している振動伝達ボルトの頭部をハンマーで叩き、打継ぎ部用打込み型枠に振動を与えて柱脚表面付近の粗骨材にモルタルを行きわたらせるようにしたことを特徴とする。
【０００８】
前記打継ぎ部用打込み型枠は、フープにより囲まれた柱主筋の中に間隙を置いて収まるような輪郭をなして周方向に延びる帯状板により形成され、前記帯状板の外側出隅部分に振動伝達用ボルトが螺着されていることを特徴とする。
【０００９】
【発明の実施の形態】
以下、本発明を図面に示す実施の形態により詳細に説明する。
【００１０】
ＲＣ造の建物は、各階毎に梁の天端でコンクリートを打ち継いで一体構造を形成しているが前述したように打継ぎ部に窪みＳを生じやすい。図１は、コンクリートを打設する場合、階高を１／２に分けて打廻ししてもフレッシュコンクリートの沈降で柱頭に窪みＳを生じる現象を示す。
【００１１】
本発明による柱脚コンクリートの打継ぎを行なう方法では、独特の打継ぎ部用鋼製の打込み型枠を用いる。
【００１２】
この柱脚打継ぎ部用打込み型枠１０は、図２、３および４に示すように、フープにより囲まれた柱主筋の中に間隙を置いて収まるような輪郭をなして周方向に延びる帯状板１２により形成されている。この実施の形態では、打込み型枠１０は四角形である。帯状板１２の４つの外側出隅部分に溶接されたナット１４に、振動を伝達させるための振動伝達ボルト１６をねじこむことができる。この柱脚打継ぎ部用打込み型枠１０の帯状板１２内の空間に打設されるコンクリートは、図５に示すようにその中心１８が若干高くなるように均して一体の突起を形成する。
【００１３】
図５において、上階柱主筋３とこの主筋を囲うフープ４からなる柱筋仮組立体を組み立てた後、この柱筋仮組立体の上階柱主筋３を囲ったフープ４の内部で、大梁主筋５の上部に図２、３、４の柱脚打継ぎ部用打込み型枠１０を設置する。前記柱脚打継ぎ部用打込み型枠１０の各ナット１４に長さ３００ｍｍ位の振動伝達用ボルト１６を取り付ける。
【００１４】
次に柱脚打継ぎ面から上方へ延びている柱筋組立体の周りに柱の型枠６を組み立てる前にレベル調整用敷角７を四隅に配置して、柱脚部清掃用排水口８となる隙間を設け（同じ書籍の５５頁写真３．１−１）、この隙間に柱脚打継ぎ部用型枠１０の振動伝達用ボルト１６が通るようにしておく。全型枠と床・梁の配筋完了後、高圧洗浄水により型枠内のゴミを水洗いし、柱の型枠６内に溜まったゴミが洗浄水と共に、敷角７の隙間である柱脚清掃用排水口８から流出したことを、柱の上部よりサーチライトで確認し、その後躯体にコンクリートを打設する。躯体のコンクリートを打設中に、柱脚打継ぎ部用打込み型枠１０内にコンクリートを充填し、柱脚打継ぎ部用型枠１０の中心１８が若干高くなるようにコンクリートの天端を均し、一体の突起を形成する。
【００１５】
なお、柱脚のコンクリート１″（図１）は一度に階高の１／２まで投入しないで、柱脚の打ち継ぎ面より３００ｍｍ位の高さでコンクリートの投入を中止する。柱脚コンクリートは分離しやすいので、柱型枠６を外部から叩き、内部は柱脚部清掃用排水口８より突出している振動伝達用ボルト１６の頭部を５〜６回ハンマーで叩き、柱脚打継ぎ部用打込み型枠１０に振動を与える。この叩きを４面共行なえば、粗骨材にモルタルが行き渡り、豆板が無くなる。その後、振動伝達用ボルト１６を取り外し、柱脚部清掃用排水口８は敷角７の切り残し材で塞ぎ、さらに上部のコンクリートを打設する。
【００１６】
【発明の効果】
本発明の柱脚打継ぎ部用打込み型枠を用いた柱脚コンクリート打継ぎ工法によれば、欠陥を招く打継ぎ部の窪みができず、打ち継ぎ面に一体の突起を形成することにより剪断耐力が付加されるため、耐震的な建物となる。さらに、柱脚部の骨材が分離した脆弱なコンクリートにならないように、フレッシュコンクリートの締固めが困難な柱脚部に内部からも振動を加えられるため、密実なコンクリートが打設でき、設計耐力を保証する品質のよい建物が実現できる。
【図面の簡単な説明】
【図１】  従来の柱脚コンクリート打継ぎ工法により、鉄筋コンクリート造の柱頭に生じたコンクートの沈降による窪みを示す。
【図２】本発明の柱脚コンクリート打継ぎ工法に用いる打継ぎ部用打込み型枠の平面図である。
【図３】図２の矢印III より見た側面図である。
【図４】図２の線IV-IV に沿って切断した断面図である。
【図５】上階柱主筋を囲ったフープの内部で大梁主筋の上部に柱脚打継ぎ部用打込み型枠を設置し、柱頭に突起が形成されるようにコンクリートを柱脚打継ぎ部用打込み型枠の上端まで打設し、その天端面を中心で若干高くなるように水勾配をつけた断面図である。
【図６】図７の線VI-VI に沿って切断して見た部分断面図であり、突起が形成された柱型枠を組み立てる前にレベル調整用敷角を配置し、四隅に柱脚部清掃用排水口となる隙間を設け、この隙間を利用して柱脚打継ぎ部用打込み型枠に振動伝達用ボルトを装着してある。
【図７】図６の矢印VII-VII に沿って切断して見た平面図である。
【符号の説明】
１              柱頭コンクリート
１′            柱の打継ぎ部柱頭コンクリート
１″            上階の柱脚コンクリート
２              梁コンクリート
３              柱主筋
４              フープ筋
５              大梁主筋
６              柱型枠
７              敷角
８              柱脚部清掃用排水口
１０              柱脚打継ぎ部用打込み型枠
１０′            突起
１２              帯状板
１６              振動伝達用ボルト
【図１】
0004149117.tif 000002
【図２】
0004149117.tif 000003
【図３】
0004149117.tif 000004
【図４】
0004149117.tif 000005
【図５】
0004149117.tif 000006
【図６】
0004149117.tif 000007
【図７】
0004149117.tif 000008